(57)【要約】【課題】複数の視度調整置を維持及び選択出来る視度調整装置、観察装置及び撮影装置を、簡単な構成で提供する。【解決手段】物体面から順に光軸１上に配置された少なくとも正の屈折力を持つ対物光学系２と、視野枠３と、反転光学系４を含む正の屈折力を持つ接眼光学系５と、から成る実像式の観察光学系として構成されている。接眼光学系５を構成する光学素子Ａを、視度調整のために移動させる。光学素子Ａは、光軸方向に進退可能な規制手段８により光軸方向の位置を規制されている。規制手段８および同じ構成の規制手段９は選択手段７上にあり、選択手段７の移動により前記光学素子Ａの位置を規制する規制手段を選択できる構成になっている。【選択図】図１
2008176214.tif 000002
【特許請求の範囲】
【請求項１】
接眼光学系に含まれる少なくとも１つの光学素子を移動させることにより視度の調整を行う視度調整装置であって、
前記光学素子の位置をそれぞれ単独に規制し、維持する複数の規制手段を備えることを特徴とする視度調整装置。
【請求項２】
前記複数の規制手段のうち一つを選択する選択手段を備えることを特徴とする請求項１記載の視度調整装置。
【請求項３】
前記選択手段により選択した規制手段を識別し、いずれの規制手段かを表示する表示手段を備えることを特徴とする請求項２記載の視度調整装置。
【請求項４】
前記選択手段は、前記選択手段の一部が前記表示手段を構成することを特徴とする請求項２又は３記載の視度調整装置。
【請求項５】
少なくとも請求項１から４のいずれか１項記載の視度調整装置を備える接眼光学系と、
対物光学系と、を備えることを特徴とする観察装置。
【請求項６】
請求項５記載の観察装置を備えることを特徴とする撮影装置。
【発明の詳細な説明】
【技術分野】
【０００１】
本発明は、視度調整装置、観察装置及び撮影装置に関し、特に、適当な視度調整値を複数設定できる視度調整装置、観察装置及び撮影装置に関する。
【背景技術】
【０００２】
ファインダ装置に採用されている接眼光学系の視度は、平均的な視力を持つ人が最も見やすくなるように通常−１Dpt.（diopter；視度）に設計・製造されている場合が多い。しかし実際にそれを使用する人の眼の状態は様々で、近視や遠視、また加齢による眼の視度調節範囲の減少等により、−１Dpt.では見え難いことも多い。そのため平均的な視力を持つ人以外でも使用し易いように視度調整が可能な接眼光学系を備える装置が多く提案されている。
【０００３】
調整方法としては、光学素子を交換することにより所望の視度に変更する方式や（例えば特許文献１参照）、接眼光学系の一部の光学素子を光軸方向に移動させることにより連続的に視度の調整を可能にする方式など（例えば特許文献２参照）が提案されている。
【特許文献１】特許第３３９２２８９号公報
【特許文献２】特開平１１−６４７４４号公報
【発明の開示】
【発明が解決しようとする課題】
【０００４】
しかしながら、これらの視度調整可能な装置を使用する際、一人で占有使用する場合は問題ないが、複数人で共有する場合において、各々の視度が異なるとき、自分の調整値を保存出来ないため第三者が使用した後に再度視度調整を行わなければならず、かえって不便であるという問題があった。
【０００５】
本発明はこのような状況に鑑みてなされたものであり、複数の視度調整置をそれぞれ単独に設定でき、かつその調整値を維持及び選択出来る視度調整装置、観察装置及び撮影装置を簡単な構成で得ることを目的とする。
【課題を解決するための手段】
【０００６】
請求項１記載の発明は、接眼光学系に含まれる少なくとも１つの光学素子を移動させることにより視度の調整を行う視度調整装置であって、前記光学素子の位置をそれぞれ単独に規制し、維持する複数の規制手段を備えることを特徴とする視度調整装置である。
【０００７】
請求項２記載の発明は、請求項１記載の装置において、前記複数の規制手段のうち一つを選択する選択手段を備えることを特徴とする。
【０００８】
請求項３記載の発明は、請求項２記載の装置において、前記選択手段により選択した規制手段を識別し、いずれの規制手段かを表示する表示手段を備えることを特徴とする。
【０００９】
請求項４記載の発明は、請求項２又は３記載の装置において、前記選択手段は、前記選択手段の一部が前記表示手段を構成することを特徴とする。
【００１０】
請求項５記載の発明は、少なくとも請求項１から４のいずれか１項記載の視度調整装置を備える接眼光学系と、対物光学系と、を備えることを特徴とする観察装置である。
【００１１】
請求項６記載の発明は、請求項５記載の観察装置を備えることを特徴とする撮影装置である。
【発明の効果】
【００１２】
本発明によれば、複数の視度調整置をそれぞれ単独に設定でき、かつその調整値を維持及び選択出来る視度調整装置、観察装置及び撮影装置を簡単な構成で提供することが出来る。
【発明を実施するための最良の形態】
【００１３】
以下に、本発明の実施形態に係る視度調整装置、観察装置及び撮影装置を、図面を用いて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。また、本明細書でいう「観察装置」とは、双眼鏡やカメラのファインダ等である。
【００１４】
まず、従来の視度調整装置について図６を用いて説明する。図６（ａ）から図６（ｄ）は、従来の視度調整装置を含む観察光学系の模式図である。図６（ａ）から（ｃ）は、少なくとも正の屈折力を持つ対物光学系２と、正の屈折力を持つ接眼光学系５（反転光学系４を含む）からなる実像式の観察光学系の構成を示す。図１（ｄ）は負の屈折力を持つ対物光学系２ｄと正の屈折力を持つ接眼光学系５ｄからなる虚像式の観察光学系の構成を示す。
【００１５】
図６（ａ）に示す視度調整装置は、傾斜カム形状をもつ視度調整レバー３０を動かすことにより、接眼光学系５内の光学素子を光軸方向に移動させて、観察像の視度を変化させる構成である。
【００１６】
図６（ｂ）に示す視度調整装置は、接眼光学系５内の光学素子と接する視度調整ダイヤル３１を回すことにより、前記光学素子を光軸方向に移動させて視度を変化させる構成である。
【００１７】
図６（ｃ）に示す視度調整装置は、接眼光学系５ｃ内の反転光学系４ｃを構成する光学素子の一部を移動させることにより、視度を変化させる構成である。符号３２は実像面である。
【００１８】
図６（ｄ）に示す視度調整装置は、偏芯カム形状の視度調整ダイヤル３３を回すことにより、それに接する接眼光学系５ｄ内の光学素子を光軸方向に移動させて視度を変化させる構成である。
【００１９】
上述したいずれの視度調整装置も視度の調整値維持が出来ず、視度の異なる複数人で使用する場合には、毎回視度を調整しなければならなかった。そこで本発明は、視度調整値の維持を可能とし、また複数人で使用するため複数の調整値を維持・選択できる視度調整装置を提案する。以下、本発明の実施形態に係る視度調整装置を図を用いて説明する。
【００２０】
図１は、本発明の実施形態に係る視度調整装置を説明するための図である。図１に示すように、物体面から順に光軸１上に配置された少なくとも正の屈折力を持つ対物光学系２と、視野枠３と、反転光学系４を含む正の屈折力を持つ接眼光学系５と、から成る実像式の観察光学系として構成されている。
【００２１】
接眼光学系５を構成する光学素子Ａを、視度調整のために移動させる。光学素子Ａは、光軸方向に進退可能な規制手段８により光軸方向の位置を規制されている。規制手段８および同じ構成の規制手段９は選択手段７上にあり、選択手段７の移動により前記光学素子Ａの位置を規制する規制手段を選択できる構成になっている。
【００２２】
上記実施形態により、移動可能な光学素子Ａの位置を規制する規制手段を複数持ち、かつそれらの規制手段によりそれぞれ単独に接眼光学系の視度を調整でき、調整された視度をそれぞれ単独に維持可能なため、複数の視度調整位置をそれぞれ個別に設定・管理することが出来る。
【００２３】
なお、図１では規制手段の数は２つになっているが、当然本発明はこれに限られることはなく、３つ以上の構成も考え得る。複数の規制手段の中から一つを選択的に機能させる選択手段を備えるため、複数の視度調整位置を簡単な操作で迅速に切り替えて使用することが出来る。
【００２４】
また、規制手段の移動方向は光軸方向に限らず、図６（ａ）に示すような傾斜カムを利用し光軸に直行する方向に移動する構成等にすることも考え得る。
【００２５】
また、選択手段の一部が表示手段を兼用することも考え得る。これにより、視度調整装置の構成部品を減らし、コストの低減や動作の信頼性を高めることができる。
【００２６】
また、表示手段１０を設けることにより、ユーザが容易に所望する調整値に設定したり確認したりすることが出来る。図２（ａ）は、本発明の実施形態に係る選択手段７の正面図である。図２（ａ）に示すように、選択手段７に表示手段１０を設け、例えば図２（ｂ）に示すように接眼光学系筐体に設けた窓Ｘから、選択した規制手段の番号（例えばＡorＢ）のみが確認可能な構成とすることが考え得る。なお表示手段１０は、選択手段７や規制手段８、９とは別の部材で構成することも考え得る。
【００２７】
上記実施形態により、選択手段７により選択した規制手段を識別するための表示手段１１を備えるため、複数の視度調整位置の中からどの調整位置を使用しているかが目視で確認でき、他の調整位置の誤用や、他人が設定した視度を変更してしまうといった誤りを防ぐことが可能となる。
【００２８】
図３は、本発明の他の実施形態に係る視度調整装置を示す模式図である。図３に示すように、物体面から順に光軸１上に配置された少なくとも正の屈折力を持つ対物光学系２と、視野枠３と、反転光学系４を含む正の屈折力を持つ接眼光学系５と、から成る実像式の観察光学系として構成されている。
【００２９】
本実施形態に係る選択手段１１は、図３に示すように、接眼光学系５内の視度調整のために移動させる光学素子Ａに接して配置されている。選択手段１１には複数から選択された規制手段のみが接するように構成される。図３では、複数の規制手段８、９のうち、規制手段８のみが選択手段１１に接している。
【００３０】
選択手段１１に接する規制手段の位置により、前記光学素子Ａの位置つまり視度が決定する構成になっている。また選択手段１１を移動させることにより、それに接する規制手段を変更することが出来る。
【００３１】
図３中の規制手段は2つであるが、３つ以上でも何ら問題は無く構成可能である。
【００３２】
図４（ａ）は本実施形態に係る選択手段１１の正面図、図４（ｂ）は選択手段１１の断面ＡＡ'を示す図である。本実施形態に係る選択手段１１は回転することにより規制手段を選択しているが、平行に移動する構成も考え得る。
【００３３】
次に、本実施形態に係る視度調整装置を備える撮像装置を図５を用いて説明する。図５（ａ）は、本実施形態に係る撮像装置の正面図である。図５（ｂ）は、本実施形態に係る撮像装置の背面図である。図５（ｃ）は、本実施形態に係る撮像装置の上面図である。
【００３４】
符号１２はシャッターボタン、１３は撮影光学系、１４は撮影鏡胴、１５はグリップ、１６は観察光学系対物窓、１７は観察光学系接眼窓、１８は視度調整ダイヤル（規制手段）、１９は選択・表示手段、２０は指標、２１はズームボタン、２２は液晶モニタ、２３は機能設定ボタン、２４はモードダイヤル、２５は電源ボタンを示す。
【００３５】
図５（ｂ）に示すように、選択・表示手段１９で設定番号を一つ選択し、視度調整ダイヤル(規制手段)１８を操作し視度を調整する。
【００３６】
上記実施形態により、他のユーザが別の設定番号を選択し視度調整した後でも、選択・表示手段１９で最初の設定番号を選べば、元の視度に簡単かつ迅速に復帰させることが出来る。
【００３７】
以上、本発明を好適な実施の形態に基づき具体的に説明したが、本発明は上記のものに限定されるものではなく、その要旨を逸脱しない範囲で種々変更可能であることは言うまでもない。
【図面の簡単な説明】
【００３８】
【図１】本発明の実施形態に係る視度調整装置を説明するための図である。
【図２】本発明の実施形態に係る選択手段７を示す図である。
【図３】本発明の実施形態に係る視度調整装置を説明するための図である。
【図４】本発明の実施形態に係る選択手段１１を示す図である。
【図５】本発明の実施形態に係る視度調整装置を備える撮像装置を示す図である。
【図６】従来の視度調整装置を含む観察光学系の模式図である。
【符号の説明】
【００３９】
１    光軸
２    対物光学系
３    視野枠
４    反転光学系
５    接眼光学系
６    瞳
１２    シャッターボタン
１３    撮影光学系
１４    撮影鏡胴
１５    グリップ
１６    観察光学系対物窓
１７    観察光学系接眼窓
１８    視度調整ダイヤル（規制手段）
１９    選択・表示手段
２０    指標
２１    ズームボタン
２２    液晶モニタ
２３    機能設定ボタン
２４    モードダイヤル
２５    電源ボタン
３０    視度調節レバー
３１、３３    視度調整ダイヤル
３２    実像面
Ａ    光学素子
Ｘ    接眼光学系筐体に設けた窓
【図１】
2008176214.tif 000003
【図２】
2008176214.tif 000004
【図３】
2008176214.tif 000005
【図４】
2008176214.tif 000006
【図５】
2008176214.tif 000007
【図６】
2008176214.tif 000008